(57)【要約】【課題】  複数枚の景品を一体的に持ち運べる状態で払い出せるようにする。【解決手段】  景品払出し機の投出ユニット１は、複数枚の景品Ａを収納するカセット４と、このカセット４に収納された景品Ａを、複数枚の景品Ａが集積状態で包装された景品包装体Ｗとして払い出す包装払出し手段とを備えている。包装払出し手段は、カセット４に収納された景品Ａを繰り出す繰出し機構７と、この繰出し機構７によって繰り出された景品Ａを集積する集積部１８とを有している。また、包装払出し手段は、集積部１８に集積された複数枚の景品Ａを包装して景品包装体Ｗを形成する包装手段Ｐと、この包装手段Ｐによって形成された景品包装体Ｗを外部へ投出するエレベータ機構８とを有している。【選択図】  図１
2005160853.tif 000002
【特許請求の範囲】
【請求項１】
略カード状の景品を払い出すための景品払出し機であって、
予め複数枚の景品を集積状態で包装した景品包装体を収納する収納部と、
この収納部に収納された景品包装体を随時必要な数だけ払い出す払出し手段と、
を備えたことを特徴とする景品払出し機。
【請求項２】
前記収納部は、景品包装体を上下一列の集積状態で収納し、
前記払出し手段は、
前記収納部内で景品包装体を載置して上昇するリフト部材を有するリフト機構と、
このリフト機構によって前記収納部の上方まで上昇した景品包装体を、略水平に繰り出す繰出し機構と、
この繰出し機構によって繰り出された景品包装体を一時保留する保留部と、
この保留部に保留された景品包装体を外部へ投出する投出機構と、
を有することを特徴とする請求項１記載の景品払出し機。
【請求項３】
略カード状の景品を払い出すための景品払出し機であって、
複数枚の景品を収納する収納部と、
この収納部に収納された景品を、複数枚の景品が集積状態で包装された景品包装体として随時必要な数だけ払い出す包装払出し手段と、
を備え、
この包装払出し手段は、
前記収納部に収納された景品を繰り出す繰出し機構と、
この繰出し機構によって繰り出された景品を集積する集積部と、
この集積部に集積された複数枚の景品を包装して景品包装体を形成する包装手段と、
この包装手段によって形成された景品包装体を外部へ投出する投出機構と、
を有することを特徴とする景品払出し機。
【発明の詳細な説明】
【技術分野】
【０００１】
本発明は、例えばパチンコ玉等の遊技媒体と交換される略カード状の景品を払い出すための景品払出し機に関する。
【背景技術】
【０００２】
従来、上記のような景品払出し機（例えば特許文献１参照）では、一度に複数枚の景品を払い出す場合、バラの景品が積み重なった状態で払い出されるようになっている。
【特許文献１】特開平９−３８３２８号公報
【発明の開示】
【発明が解決しようとする課題】
【０００３】
上述したような従来の景品払出し機には、次のような問題点がある。すなわち、払い出された景品の枚数が多いと、遊技客が遊技場から景品交換所まで持ち運ぶのに不便である。また、景品を持ち運ぶ際に落としたりした場合には、その一部を紛失してしまうおそれもある。一方、その不便を解消するために係員が紙袋等に入れて手渡したりするのでは手間が掛かってしまう。また、払い出し枚数を減らすために交換価値（金額）の高い景品を設定するのも、偽造防止の観点から限度がある。
【０００４】
本発明は、このような点を考慮してなされたものであり、複数枚の景品を一体的に持ち運べる状態で払い出すことのできる景品払出し機を提供することを目的とする。
【課題を解決するための手段】
【０００５】
第１の発明は、略カード状の景品を払い出すための景品払出し機であって、予め複数枚の景品を集積状態で包装した景品包装体を収納する収納部と、この収納部に収納された景品包装体を随時必要な数だけ払い出す払出し手段と、を備えたことを特徴とする景品払出し機である。
【０００６】
この第１の発明によれば、予め複数枚の景品を集積状態で包装した景品包装体を収納し、この景品包装体をそのまま払い出すことができる。すなわち、複数枚の景品を景品包装体として一体的に持ち運べる状態で払い出すことができる。
【０００７】
この第１の発明における払出し手段は、例えば次の第２の発明のように構成することができる。
【０００８】
すなわち、第２の発明は、第１の発明において、前記収納部は、景品包装体を上下一列の集積状態で収納し、前記払出し手段は、前記収納部内で景品包装体を載置して上昇するリフト部材を有するリフト機構と、このリフト機構によって前記収納部の上方まで上昇した景品包装体を、略水平に繰り出す繰出し機構と、この繰出し機構によって繰り出された景品包装体を一時保留する保留部と、この保留部に保留された景品包装体を外部へ投出する投出機構と、を有するものである。
【０００９】
第３の発明は、略カード状の景品を払い出すための景品払出し機であって、複数枚の景品を収納する収納部と、この収納部に収納された景品を、複数枚の景品が集積状態で包装された景品包装体として随時必要な数だけ払い出す包装払出し手段と、を備え、この包装払出し手段は、前記収納部に収納された景品を繰り出す繰出し機構と、この繰出し機構によって繰り出された景品を集積する集積部と、この集積部に集積された複数枚の景品を包装して景品包装体を形成する包装手段と、この包装手段によって形成された景品包装体を外部へ投出する投出機構と、を有することを特徴とする景品払出し機である。
【００１０】
この第３の発明によれば、収納部に収納された景品を繰出し機構によって集積部に繰り出して集積し、集積された複数枚の景品を包装手段で包装して景品包装体を形成し、その景品包装体を投出機構で外部へ投出することができる。これにより、複数枚の景品を景品包装体として一体的に持ち運べる状態で払い出すことができる。
【００１１】
なお、本発明における「包装」は、集積状態の複数枚の景品を、任意の包装材ないし結束材で包囲して、持ち運び時にばらけない程度に一体化することを意味する。例えば、集積状態の景品の全体がフィルム等の包装材で覆われている場合は勿論、集積状態の景品が輪ゴム等の結束材によって結束された状態や、単に袋詰めされた状態のものも本発明の「景品包装体」の概念に含まれる。
【発明の効果】
【００１２】
本発明によれば、複数枚の景品を景品包装体として一体的に持ち運べる状態で払い出すことができるので、遊技客の持ち運びに便利であり、係員の手間も掛からない。
【発明を実施するための最良の形態】
【００１３】
次に、図面を参照して本発明の実施の形態について説明する。図１乃至図５は本発明による景品払出し機の実施の形態を示す図である。
【００１４】
［第１の実施形態］
まず、図１乃至図４を参照して本発明の第１の実施形態について説明する。
【００１５】
〈全体構成〉
図１および図２には、複数の投出ユニット１を備えることのできる景品払出し機が示されている。各投出ユニット１は、略カード状の景品Ａを収納すると共に、複数枚の景品Ａを集積状態で包装した景品包装体Ｗとして投出するための構成を有している。図１の左側が、景品払出し機の前側である。なお、ここで取り扱われる景品は、遊技場において遊技客が獲得したパチンコ玉等の遊技媒体と交換され、遊技場外の景品交換所等において現金にて買い上げられる景品であり、特殊景品と呼ばれることもある。図６には、そのような景品Ａの例が示されている。図６に示す景品は、樹脂製の本体ａ１と、この本体ａ１の表面に設定交換価値等の情報を表示する情報表示部ａ２と、本体ａ１に内蔵された価値物体ａ３とを有している。
【００１６】
この景品払出し機は、投出ユニット１を収納するキャビネット２備え、このキャビネット２の前面側に開閉扉２０が設けられている。複数の投出ユニット１は、キャビネット２内に左右一列に配置された状態で収納され、開閉扉２０を開放した状態においてキャビネット２内から前方へ抜き出し可能となっている（図２では、７つの投出ユニット１を収納可能なキャビネット２内に１つだけ投出ユニット１を収納した状態が示されている）。
【００１７】
キャビネット２の上面部には、投出された景品包装体Ｗを載置して払出しに供するための上板２２が設けられている。この上板２２上には、前側の中央に表示・操作部２４が設けられ、その後方（前後方向の略中央）には、各投出ユニット１に対応するスライド蓋３０が左右に間隔を置いて配置されている。
【００１８】
図１に示すように、各スライド蓋３０に対応して、上板２２を貫通して下方へ延びる景品通路２６が形成されている。また、各景品通路２６に対応して、スライド蓋３０を含む送出し機構３が設けられている。各送出し機構３は、モータ３２によって駆動される無端ベルト４３と、このベルト３４に対してスライド蓋３０を連結する連接棒３６とを有している。これにより、各送出し機構３は、スライド蓋３０を前後にスライドさせて景品通路２６の開口部を開閉できるようになっている。
【００１９】
この景品払出し機は、例えば開閉扉２０および表示・操作部２４のある前側を装置の操作等を行う係員側とし、後ろ側を、投出された景品Ａを受け取る客側として運用される。
【００２０】
〈投出ユニットの構成〉
次に、図１、図３および図４を参照して、各投出ユニット１の具体的構成について説明する。
【００２１】
図１および図３に示すように、投出ユニット１は、景品Ａを上下一列の集積状態で収納する複数（図１および図３では４つ）のカセット４と、これらのカセット４を水平方向（払出し機の前後方向）で一列の配列で保持するカセットキャリア５とを有している。これらのカセット４およびカセットキャリア５は、投出ユニット１の外形を画成する筐体１０内に収納されている。
【００２２】
図１に示すように、筐体１０内には、カセット配列方向に間隔を置いて並ぶ２つのリフト機構６が設けられている。各リフト機構６は、カセット４内で景品Ａを載置して上昇すると共にカセット４内から下方へ退避可能なリフト部材６０を有し、そのリフト部材６０を無端ベルト等によって昇降駆動するように構成されている。これに対応して、各カセット４は、上面が全開放されている他、底面およびリフト機構６側の一側面も中央部が開放されている（図３）。なお、各リフト機構６のリフト部材６０を介して、対応するカセット４内の景品の有無を検出できるようになっている。
【００２３】
筐体１０内の底部には、カセットキャリア５をカセット配列方向に移動させるスライド機構９が設けられている。このスライド機構９は、例えばモータ駆動のラックアンドピニオン機構等によって構成される。また、各リフト機構６に対応するカセット４の上部と連通するように一対の受入部１６が設けられている。各受入部１６は、リフト機構６によって上昇する景品Ａをカセット４の上部から受け入れて、更に上方まで案内するためのものである。
【００２４】
各受入部１６の上方には、リフト機構６に対応したカセット４の上方から景品Ａを略水平に繰り出す繰出し機構７が設けられている。この繰出し機構７は、引出し機構部７Ａと押出し機構部７Ｂとで構成されている。また、２つの受入部１６同士の間には、各繰出し機構７によって繰り出された景品Ａを集積する集積部１８が、上記景品通路２６に対応して筐体１０上面に開口する（図３参照）ように設けられている。
【００２５】
繰出し機構７のうち、引出し機構部７Ａは、対向ローラによって景品Ａを厚さ方向に挟んで受入部１６から集積部１８へ引き出すように構成されている。また、押出し機構部７Ｂは、引出し機構部７Ａまで景品Ａを送り出すために、当該景品Ａの後端部を押し出すよう一定行程で往復運動する部分を有している。
【００２６】
この集積部１８に対応して、そこに集積された複数枚の景品Ａを包装して景品包装体Ｗを形成する包装手段Ｐが配設されている。この場合、「包装」は、集積状態の複数枚の景品を、任意の包装材ないし結束材で包囲して、持ち運び時にばらけない程度に一体化することを意味する。従って、この場合の「包装」には、結束や袋詰め等も含まれる。
【００２７】
包装手段Ｐとしては、例えば以下のような公知ないし周知の技術的手段を用いることができる：
（１）硬貨包装機で用いられるような、ロールから引き出される包装シートで対象物の周囲を巻回した後、シートの巻回軸線方向の両端部をかしめて包装する手段；
（２）紙幣結束機で用いられるような、ロールから引き出される結束帯で対象物の周囲を巻回した後、結束帯を熱接着等で止めて結束する手段；
（３）一般的な資材、日用品等のための自動結束機、自動包装機ないし自動袋詰め機に用いられるような、ストレッチフィルムやシュリンクフィルム等で対象物を結束もしくは包装する手段、ないしはビニール袋や紙袋等に袋詰めする手段。
【００２８】
図７には、そのような包装手段Ｐで形成される景品包装体Ｗの例が示されている。図７（ａ）に示すのは、上記（１）のような包装手段Ｐで形成される景品包装体Ｗであり、集積された複数枚の景品Ａの周囲が包装シートＳで巻回され、その包装シートＳの前後端部にかしめ部分Ｃが形成されている。図７（ｂ）に示すのは、上記（２）のような包装手段Ｐで形成される景品包装体Ｗであり、集積された複数枚の景品Ａが周囲に巻回された結束帯Ｂによって結束されている。
【００２９】
また、集積部１８に対応して、包装手段Ｐによって形成された景品包装体Ｗを外部へ投出するためのエレベータ機構（投出機構）８が設けられている。このエレベータ機構８は、集積部１８に集積される景品Ａおよび景品包装体Ｗの底部を支持する支持板８０を有し、その支持板８０を無端ベルト等によって昇降駆動するように構成されている。
【００３０】
以上のリフト機構６、繰出し機構７、集積部１８、包装手段Ｐ、エレベータ機構８等によって、カセット４に収納された景品Ａを景品包装体Ｗとして随時必要な数だけ払い出す包装払出し手段が構成されている。
【００３１】
なお、受入部１６の前後面は一対の側板１６ｐによって画成されている。また、集積部１８の前後面は、下部が一対の側板１８ｐによって、上部が一対の揺動板１８ｓによって、それぞれ画成されている。各揺動板１８ｓは、対応する繰出し機構７による景品Ａの繰り出しに応じて、集積部１８内側へ揺動するように設けられている。
【００３２】
次に、図３に示すように、筐体１０前面の下側を構成する前板１２に、カセットキャリア５を摺動自在に支持したレール１４と、上記スライド機構９とが取り付けられ、これらが一体となって引出部１ａを構成している。この引出部１ａは、筐体１０本体内に設けられた上下一対の取付レール１３に沿って、筐体１０本体に対して引出し式に着脱自在となっている。また、引出部１ａは、電磁ロック等のロック機構により筐体１０本体に対して固定自在となっている。
【００３３】
〈動  作〉
次に、本実施形態の景品払出し機の動作について、１つの投出ユニット１のみに着目して説明する。
【００３４】
まず、図１（一点鎖線）および図３に示すように、（開閉扉２０が開放され）投出ユニット１の筐体１０本体から引出部１ａが引き出された状態で、景品Ａを収納した４つのカセット４がカセットキャリア５にセットされる。このとき、カセットキャリア５は開閉扉２０（前板１２）側に最も近い前方位置にある。次に、カセット４のセットされた引出部１ａが筐体１０本体内に押し込まれ、開閉扉２０が閉じられる（図４（ａ）の状態）。
【００３５】
このときもカセットキャリア５は前方位置にあり、まず各リフト機構６に対応する（前から２番目と４番目の）カセット４内の景品の有無がリフト部材６０を介して検出される。次に、スライド機構９によるカセットキャリア５の移動で、各カセット４が後方位置（図４（ｂ））に置かれ、再び各リフト機構６に対応する（前から１番目と３番目の）カセット４内の景品の有無が検出される。この景品検出の結果、リフト機構６に対応するカセット４内に景品が無い場合を除き、この後方位置（図４（ｂ））から景品の繰出しが開始され、次いで前方位置（図４（ａ））での景品の繰出しに移行する。
【００３６】
なお、後方および前方位置のそれぞれにおいて、２つのカセット４のいずれから景品を繰り出すかは、各カセット４に収納された景品の種類によって異なる。例えば、リフト機構６に対応した２つのカセット４が同種の景品を収納している場合は、一方のカセット４が空になってから他方のカセット４の景品を繰り出せばよい。これに対して、その２つのカセット４が互いに異なる種類の景品を収納している場合は、繰り出すべき景品の種類に応じて随時、対象となるカセット４を使い分けることになる。
【００３７】
図１には、前方位置（図４（ａ））において、前から４番目のカセット４より景品Ａを投出する状態が示されている（従って、既に後方位置において景品Ａの繰出しを完了した前から１番目と３番目のカセット４は空の状態で示されている）。以下、この状態での景品Ａの繰出しに基づく動作を例にとって説明する。
【００３８】
まず、当該カセット４内の景品Ａは、最上位のものが（受入部１６を通って）繰出し機構７に対応した高さに達するまで、リフト機構６によって持ち上げられる。そして、まず最上位の景品Ａが、繰出し機構７によって集積部１８内に繰り出されて支持板８０上に載置される。その後、景品Ａのリフト機構６による上昇と繰出し機構７による繰り出しとが繰り返され、景品Ａが集積部１８内に集積されて行く。払い出すべき枚数の景品Ａが集積部１８内に集積されたら、それらの景品Ａを包装手段Ｐで包装して景品包装体Ｗを形成する。
【００３９】
その後、スライド蓋３０が景品通路２６の開口部を開放するように前方へ引き込まれた状態で、支持板８０上の景品包装体Ｗが上板２２上の高さに達するまでエレベータ機構８によって持ち上げられる。次に、送出し機構３が、景品通路２６の開口部を閉鎖するようにスライド蓋３０を後方へスライドさせることで、支持板８０上の景品包装体Ｗが上板２２上に押し出され、当該景品包装体Ｗの投出が完了する。
【００４０】
〈作用効果〉
次に、このような構成よりなる本実施形態の作用効果について説明する。
【００４１】
本実施形態によれば、カセット４に収納された景品Ａを繰出し機構７によって集積部１８に繰り出して集積し、集積された複数枚の景品Ａを包装手段Ｐで包装して景品包装体Ｗを形成し、その景品包装体Ｗをエレベータ機構８等で外部へ投出することができる。これにより、複数枚の景品Ａを景品包装体Ｗとして一体的に持ち運べる状態で払い出すことができるので、遊技客の持ち運びに便利であり、係員の手間も掛からない。
【００４２】
［第２の実施形態］
次に、図５を参照して本発明の第２の実施形態について説明する。
【００４３】
〈構  成〉
本実施形態は、図５に示すように、予め複数枚の景品を集積状態で包装した景品包装体Ｗを収納し、収納された景品包装体Ｗをそのまま払い出すように構成した点で上記第１の実施形態と異なる。そして、その他の構成は、図１乃至図４に示す上記第１の実施形態と略同様である。
【００４４】
具体的には、図５に示す本実施形態の景品払出し機は、上記第１の実施形態の投出ユニット１に代えて、景品包装体Ｗの収納および投出を行う投出ユニット１’を備えている。この投出ユニット１’においては、図１の景品用カセット４から景品包装体Ｗ用に断面寸法等を変更したカセット４’が装着されている。
【００４５】
また、リフト機構６によってカセット４’の上方まで上昇した景品包装体Ｗを、略水平に繰り出す繰出し機構７’が設けられている。この繰出し機構７’は、景品包装体Ｗに合わせて対向ローラの配置間隔を広げた引出し機構部７Ａ’と、景品包装体Ｗを押し出せるように往復運動する部分の形状等を変更した押出し機構部７Ｂ’とを有している。また、図１に示す（包装手段Ｐを伴う）集積部１８に代えて、繰出し機構７’によって繰り出された景品包装体Ｗを一時保留する保留部１８’が設けられている。
【００４６】
以上のリフト機構６’、繰出し機構７’および保留部１８’と、上記第１の実施形態と同様のエレベータ機構８等によって、カセット４’に収納された景品包装体Ｗを随時必要な数だけ払い出す払出し手段が構成されている（図５に示す例では、保留部１８’に一時保留できる景品包装体Ｗの数が１個なので、景品包装体Ｗの投出（払出し）も１個ずつ行われる）。
【００４７】
なお、以上のような変更に対応して、一対の側板１６ｐ’を有する受入部１６’の寸法等が変更されている他、図１に示す一対の側板１８ｐおよび一対の揺動板１８ｓに代えて、上下各一対の側板１８ｐ’，１８ｓ’が設けられている。
【００４８】
〈作用効果〉
次に、このような構成よりなる本実施形態の作用効果について説明する。
【００４９】
本実施形態によれば、予め複数枚の景品Ａを集積状態で包装した景品包装体Ｗを収納し、この景品包装体Ｗをそのまま払い出すことができる。すなわち、複数枚の景品Ａを景品包装体Ｗとして一体的に持ち運べる状態で払い出すことができるので、遊技客の持ち運びに便利であり、係員の手間も掛からない。また、上記第１の実施形態に比べて、予め景品Ａを包装しておく手間は増えるが、投出動作中に包装動作を行わないため、景品包装体Ｗの投出に要する時間は短くできる。また、包装手段を備えないため、払出し機の構造を簡略化することができる。
【００５０】
〈景品包装体の具体例〉
予め複数枚の景品Ａを集積状態で包装した景品包装体Ｗとしては、例えば以下のようなものが考えられる：
（１）設定交換価値２５００円の景品Ａを１０枚包装した、１つで２万５千円分の景品包装体Ｗ；
（２）設定交換価値２５００円の景品Ａを２０枚包装した、１つで５万円分の景品包装体Ｗ。
【００５１】
この場合、例えば総額５万円分の景品Ａを払い出すには、バラの景品Ａでは２０枚となるのに対して、上記（１）の景品包装体Ｗでは２個、上記（２）の景品包装体Ｗでは１個で済むことになる。
【００５２】
［その他の実施形態］
（１）図２に示すような複数の投出ユニットを備える景品払出し機においては、上述した第１の実施形態のユニット１と第２の実施形態のユニット１’とを任意の数ずつ混在させてもよく、さらに景品をバラの状態で払い出す従来型の投出ユニットを混在させてもよい。
【００５３】
（２）上記第１および第２の実施形態において、各投出ユニット１，１’が２つのリフト機構６（および対応する繰出し機構７，７’（以下同様））で４つのカセット４，４’に対応する場合について説明したが、本発明はこれに限定されない。例えば、各投出ユニット１，１’が単一のリフト機構６によって２つ以上のカセット４，４’に対応したり、３つ以上のリフト機構６によって４つ以上のカセット４，４’に対応したりするように構成してもよい。さらに、各投出ユニット１，１’において、スライド機構９等を省略して、カセット４，４’を１つだけ用いるように構成する等、種々の変形が考えられる。
【００５４】
（３）送出し機構３、リフト機構６、繰出し機構７，７’、エレベータ機構８およびスライド機構９の機械的な構成は上述したものに限定されるものではない。例えば、ベルトに代えてチェーンやボールねじ等の任意の駆動方式を採用してもよい。
【図面の簡単な説明】
【００５５】
【図１】本発明による景品払出し機の第１の実施形態を示す縦断面図。
【図２】図１に示す景品払出し機を、開扉して投出ユニットを１つだけ収容した状態で示す斜視図。
【図３】図１に示す景品払出し機の投出ユニットを、引出部を引き出してカセットを取り外した状態で示す斜視図。
【図４】図１に示す景品払出し機の投出ユニットにおけるカセットキャリアの移動を示す模式図であって、各カセットが（ａ）前方位置および（ｂ）後方位置にある状態をそれぞれ示す図。
【図５】本発明による景品払出し機の第２の実施形態を示す縦断面図。
【図６】本発明による景品払出し機で用いられる景品の例を示す斜視図。
【図７】（ａ）および（ｂ）は、それぞれ本発明による景品払出し機で投出される景品包装体の例を示す斜視図。
【符号の説明】
【００５６】
Ａ  景品
Ｗ  景品包装体
１  投出ユニット
１ａ  引出部
１０  筐体
１８  集積部
Ｐ  包装手段
２  キャビネット
２０  開閉扉
２２  上板
２４  表示・操作部
２６  景品通路
３  送出し機構
３０  スライド蓋
４  カセット（収納部）
５  カセットキャリア
６  リフト機構
６０  リフト部材
７  繰出し機構
８  エレベータ機構（投出機構）
９  スライド機構
１’  投出ユニット
１８’  保留部
４’  カセット（収納部）
７’  繰出し機構
【図１】
2005160853.tif 000003
【図２】
2005160853.tif 000004
【図３】
2005160853.tif 000005
【図４】
2005160853.tif 000006
【図５】
2005160853.tif 000007
【図６】
2005160853.tif 000008
【図７】
2005160853.tif 000009